(57)【要約】【課題】  画像のアニメーション表示に掛かる負荷をより低減する。【解決手段】  選択された画像を印刷イメージに配置する際に、表示用画像よりサイズの小さいアニメーション用画像を生成し（Ｓ１００）、現在の表示位置と印刷イメージ内の画像の配置位置とを結ぶ直線上の中間点に中間表示領域を設定し（Ｓ１１０）、現在の表示位置から中間表示領域を経由して配置位置までアニメーション表示されるように各コマにおける画像の表示位置と大きさとを設定し（Ｓ１２０）、設定した表示位置と大きさに従って各コマにおける画像が順次に表示されるように、アニメーション用画像を用いて各コマの画像を生成してＶＲＡＭに書き込む処理を所定の間隔で繰り返し実行する（Ｓ１３０〜Ｓ１７０）。この結果、画像のアニメーション表示に掛かる負荷をより低減すると共に操作内容を理解しやすいユーザインタフェースを実現することができる。【選択図】        図７
2005332340.tif 000002
【特許請求の範囲】
【請求項１】
接続された表示機器の表示画面に画像を表示出力する画像表示出力装置であって、
前記表示画面に対応する画面データを記憶する画面データ記憶手段と、
該画面データ記憶手段に記憶されている画面データを前記表示機器へ出力する画面データ出力手段と、
所定サイズの画像を記憶する画像記憶手段と、
該画像記憶手段に記憶されている画像が前記表示画面に表示されるように、該画像を用いて前記画面データ記憶手段の画面データを更新する画像表示手段と、
前記表示画面に表示されている画像の中から選択された画像が所定の画像処理効果を伴ってアニメーション表示されるように、該選択された画像の前記所定サイズより小さいサイズのアニメーション用画像を用いて該アニメーション表示の各コマに対応する画像を生成し該生成した画像を用いて前記画面データ記憶手段の画面データを更新するアニメーション表示手段と、
を備える画像表示出力装置。
【請求項２】
前記所定の画像処理効果は、画像が拡大縮小および／または回転する効果である請求項１記載の画像表示出力装置。
【請求項３】
請求項１または２記載の画像表示出力装置であって、
前記表示画面に表示されている画像の中から選択された画像を該表示画面の所定領域に配置する画像配置手段を備え、
前記アニメーション表示手段は、前記画像配置手段により前記選択された画像を前記所定領域に配置する際に、該選択された画像が該所定領域の方向へ移動するアニメーション表示がなされるように、前記画面データ記憶手段の画面データを更新する手段である、
画像表示出力装置。
【請求項４】
前記アニメーション表示手段は、前記選択された画像の表示位置から前記所定領域に配置する配置位置までの所定の軌跡に沿って該選択された画像が移動するアニメーション表示がなされるように、前記画面データ記憶手段の画面データを更新する手段である請求項３記載の画像表示出力装置。
【請求項５】
前記アニメーション表示手段は、前記選択された画像の表示位置から前記所定の軌跡上の所定位置までは該画像が拡大または縮小しながら移動し該所定位置から前記配置位置までは該画像が縮小または拡大しながら移動するアニメーション表示がなされるように、前記画面データ記憶手段の画面データを更新する手段である請求項４記載の画像表示出力装置。
【請求項６】
請求項１ないし５いずれか記載の画像表示出力装置であって、
前記画像は、矩形として形成されてなり、
前記アニメーション用画像は、前記所定サイズの縦サイズおよび横サイズを、１／２または１／３または１／４としたサイズで形成されてなる、
画像表示出力装置。
【請求項７】
前記表示機器はテレビ受像機である請求項１ないし６いずれか記載の画像表示出力装置。
【請求項８】
請求項１ないし７いずれか記載の画像表示出力装置を備え、前記画像を印刷する印刷実行手段を備える印刷装置。
【請求項９】
請求項３または請求項３に係る請求項４ないし７いずれか記載の画像表示出力装置を備える請求項８記載の印刷装置であって、
前記所定領域は、印刷レイアウト領域であり、
前記印刷実行手段は、前記印刷レイアウト領域に配置された画像を印刷する手段である、
印刷装置。
【請求項１０】
請求項８または９記載の印刷装置であって、
操作者の操作に基づく操作情報を光信号に変換して送信する操作信号送信手段と、
該操作信号送信手段からの光信号を受光する受光部と該受光部で受光した光信号に基づいて前記操作情報を解析する情報解析部とを有する情報受信解析手段と、
該情報受信解析手段により解析された操作情報に基づいて前記画像表示出力装置と前記印刷実行手段とを制御する操作制御手段と、
を備える印刷装置。
【請求項１１】
外観が高さが２０ｃｍ以下で幅が６０ｃｍ以下で奥行きが６０ｃｍ以下の略箱形形状に形成されてなる請求項８ないし１０いずれか記載の印刷装置。
【請求項１２】
側面の一方を正面とし、該正面から印刷用記録剤カートリッジを着脱することを特徴とする請求項８ないし１１いずれか記載の印刷装置。
【請求項１３】
側面の一方を正面とし、該正面から給排紙することを特徴とする請求項８ないし１２いずれか記載の印刷装置。
【請求項１４】
接続された表示機器の表示画面に対応する画面データを記憶する画面データ記憶手段と該画面データ記憶手段に記憶されている画面データを該表示機器へ出力する画面データ出力手段とを備える画像表示出力装置の制御方法であって、
（ａ）所定サイズの画像を記憶しておき、
（ｂ）該記憶されている画像が前記表示画面に表示されるように、該画像を用いて前記画面データ記憶手段の画面データを更新し、
（ｂ）前記表示画面に表示されている画像の中から選択された画像が所定の画像処理効果を伴ってアニメーション表示されるように、該選択された画像の前記所定サイズより小さいサイズのアニメーション用画像を用いて該アニメーション表示の各コマに対応する画像を生成し該生成した画像を用いて前記画面データ記憶手段の画面データを更新する、
画像表示出力装置の制御方法。
【発明の詳細な説明】
【技術分野】
【０００１】
本発明は、画像表示出力装置およびこれを備える印刷装置、画像表示出力装置の制御方法に関し、詳しくは、接続された表示機器に画像を表示出力する画像表示出力装置およびこれを備える印刷装置、こうした画像表示出力装置の制御方法に関する。
【背景技術】
【０００２】
従来、この種の画像表示出力装置としては、デジタルカメラで撮影した画像などをテレビ受像機の画面上で鑑賞するものが提案されている（例えば、特許文献１参照）。この装置では、画面上に一覧表示された画像をリモコンを用いて選択することにより、画像の拡大表示などを行なっている。
【特許文献１】特開２００３−１２５３３８号公報
【発明の開示】
【発明が解決しようとする課題】
【０００３】
しかしながら、こうした画像表示出力装置では、一覧表示された画像を選択する操作などを行なう際に、画面の変化が少ないと、正しく操作できたか否かが分かり難いことがある。特に、リモコンを用いて操作する場合には、操作信号が届いていないことが想定されるから、ユーザは正しく操作できていないと誤解して同じ操作を繰り返してしまうことがある。一方、こうした装置は、ゲーム専用機やパーソナルコンピュータなどと比較して描画処理能力が劣る傾向にあるから、画面に変化をもたらすためにアニメーション表示などを多用すると、処理速度が低下するなど、かえって操作性が低下する虞がある。
【０００４】
本発明の画像表示出力装置およびこれを備える印刷装置、画像表示出力装置の制御方法は、画像のアニメーション表示に掛かる負荷をより低減することを目的の一つとする。また、本発明の画像表示出力装置およびこれを備える印刷装置、画像表示出力装置の制御方法は、操作内容を理解しやすいユーザインタフェースを実現することを目的の一つとする。
【課題を解決するための手段】
【０００５】
本発明の画像表示出力装置およびこれを備える印刷装置、画像表示出力装置の制御方法は、上述の目的の少なくとも一部を達成するために以下の手段を採った。
【０００６】
本発明の画像表示出力装置は、
接続された表示機器の表示画面に画像を表示出力する画像表示出力装置であって、
前記表示画面に対応する画面データを記憶する画面データ記憶手段と、
該画面データ記憶手段に記憶されている画面データを前記表示機器へ出力する画面データ出力手段と、
所定サイズの画像を記憶する画像記憶手段と、
該画像記憶手段に記憶されている画像が前記表示画面に表示されるように、該画像を用いて前記画面データ記憶手段の画面データを更新する画像表示手段と、
前記表示画面に表示されている画像の中から選択された画像が所定の画像処理効果を伴ってアニメーション表示されるように、該選択された画像の前記所定サイズより小さいサイズのアニメーション用画像を用いて該アニメーション表示の各コマに対応する画像を生成し該生成した画像を用いて前記画面データ記憶手段の画面データを更新するアニメーション表示手段と、
を備えることを要旨とする。
【０００７】
この本発明の画像表示出力装置では、画像記憶手段に記憶されている画像が表示機器の表示画面に表示されるように画面データを更新し、表示画面に表示されている画像の中から選択された画像が所定の画像処理効果を伴ってアニメーション表示されるようにアニメーション用画像を用いて各コマの画像を生成して画面データを更新する。したがって、選択された画像が所定の画像処理効果を伴ってアニメーション表示されるから、操作内容を理解しやすいユーザインタフェースを実現することができる。また、表示画面に静止画として表示する際に用いる画像よりもサイズの小さいアニメーション用画像を用いてアニメーション表示を行なうから、静止画用の画像を用いてアニメーション表示を行なう場合と比較してアニメーション表示に掛かる負荷を低減することができる。ここで「表示機器」としては、テレビ受像機などを挙げることができる。
【０００８】
こうした本発明の画像表示出力装置において、前記所定の画像処理効果は、画像が拡大縮小および／または回転する効果であるものとすることもできる。こうすれば、選択された画像が拡大縮小したり回転したりするようにアニメーション表示を行なうことができる。
【０００９】
また、本発明の画像表示出力装置において、前記表示画面に表示されている画像の中から選択された画像を該表示画面の所定領域に配置する画像配置手段を備え、前記アニメーション表示手段は前記画像配置手段により前記選択された画像を前記所定領域に配置する際に該選択された画像が該所定領域の方向へ移動するアニメーション表示がなされるように前記画面データ記憶手段の画面データを更新する手段であるものとすることもできる。こうすれば、選択された画像が所定領域の方向へ移動するようにアニメーション表示を行なうことができる。この結果、ユーザは、選択された画像を所定領域に配置する様子を視覚的に理解しやすくなる。
【００１０】
この態様の本発明の画像表示出力装置において、前記アニメーション表示手段は、前記選択された画像の表示位置から前記所定領域に配置する配置位置までの所定の軌跡に沿って該選択された画像が移動するアニメーション表示がなされるように前記画面データ記憶手段の画面データを更新する手段であるものとすることもできる。こうすれば、選択された画像の表示位置から配置位置までの軌跡に沿って画像が移動するようにアニメーション表示を行なうことができる。この態様の本発明の画像表示出力装置において、前記アニメーション表示手段は、前記選択された画像の表示位置から前記所定の軌跡上の所定位置までは該画像が拡大または縮小しながら移動し該所定位置から前記配置位置までは該画像が縮小または拡大しながら移動するアニメーション表示がなされるように前記画面データ記憶手段の画面データを更新する手段であるものとすることもできる。
【００１１】
さらに、本発明の画像表示出力装置において、前記画像は矩形として形成されてなり、前記アニメーション用画像は前記所定サイズの縦サイズおよび横サイズを、１／２または１／３または１／４としたサイズで形成されてなるものとすることもできる。
【００１２】
本発明の印刷装置は、上述したいずれかの態様の本発明の画像表示出力装置、即ち、基本的には、接続された表示機器の表示画面に画像を表示出力する画像表示出力装置であって、前記表示画面に対応する画面データを記憶する画面データ記憶手段と、該画面データ記憶手段に記憶されている画面データを前記表示機器へ出力する画面データ出力手段と、所定サイズの画像を記憶する画像記憶手段と、該画像記憶手段に記憶されている画像が前記表示画面に表示されるように該画像を用いて前記画面データ記憶手段の画面データを更新する画像表示手段と、前記表示画面に表示されている画像の中から選択された画像が所定の画像処理効果を伴ってアニメーション表示されるように該選択された画像の前記所定サイズより小さいサイズのアニメーション用画像を用いて該アニメーション表示の各コマに対応する画像を生成し該生成した画像を用いて前記画面データ記憶手段の画面データを更新するアニメーション表示手段と、を備える画像表示出力装置を備え、前記画像を印刷する印刷実行手段を備えることを要旨とする。
【００１３】
この本発明の印刷装置では、上述したいずれかの態様の本発明の画像表示出力装置を備えるから、本発明の画像表示出力装置が奏する効果、例えば、操作内容を理解しやすいユーザインタフェースを実現することができる効果や静止画用の画像を用いてアニメーション表示を行なう場合と比較してアニメーション表示に掛かる負荷を低減することができる効果などを奏することができる。
【００１４】
画像表示出力装置が画像配置手段を備える態様の本発明の印刷装置において、前記所定領域は印刷レイアウト領域であり、前記印刷実行手段は前記印刷レイアウト領域に配置された画像を印刷する手段であるものとすることもできる。こうすれば、選択された画像が印刷レイアウト領域の方向へ移動するようにアニメーション表示を行なうことができる。この結果、ユーザは、選択された画像を印刷レイアウト領域に配置する様子を視覚的に理解しやすくなる。
【００１５】
こうした本発明の印刷装置において、操作者の操作に基づく操作情報を光信号に変換して送信する操作信号送信手段と、該操作信号送信手段からの光信号を受光する受光部と該受光部で受光した光信号に基づいて前記操作情報を解析する情報解析部とを有する情報受信解析手段と、該情報受信解析手段により解析された操作情報に基づいて前記画像表示出力装置と前記印刷実行手段とを制御する操作制御手段と、を備えるものとすることもできる。
【００１６】
また、本発明の印刷装置において、外観が高さが２０ｃｍ以下で幅が６０ｃｍ以下で奥行きが６０ｃｍ以下の略箱形形状に形成されてなるものとしたり、側面の一方を正面とし該正面から印刷用記録剤カートリッジを着脱することを特徴とするものとしたり、側面の一方を正面とし該正面から給排紙することを特徴とするものとしたりすることもできる。
【００１７】
本発明の画像表示出力装置の制御方法は、
接続された表示機器の表示画面に対応する画面データを記憶する画面データ記憶手段と該画面データ記憶手段に記憶されている画面データを該表示機器へ出力する画面データ出力手段とを備える画像表示出力装置の制御方法であって、
（ａ）所定サイズの画像を記憶しておき、
（ｂ）該記憶されている画像が前記表示画面に表示されるように、該画像を用いて前記画面データ記憶手段の画面データを更新し、
（ｃ）前記表示画面に表示されている画像が所定の画像処理効果を伴ってアニメーション表示されるように、該画像の前記所定サイズより小さいサイズのアニメーション用画像を用いて該アニメーション表示の各コマに対応する画像を生成し該生成した画像を用いて前記画面データ記憶手段の画面データを更新する、
ことを要旨とする。
【００１８】
この本発明の画像表示出力装置の制御方法では、記憶されている画像が表示機器の表示画面に表示されるように画面データを更新し、表示画面に表示されている画像の中から選択された画像が所定の画像処理効果を伴ってアニメーション表示されるようにアニメーション用画像を用いて各コマの画像を生成して画面データを更新する。したがって、選択された画像が所定の画像処理効果を伴ってアニメーション表示されるから、操作内容を理解しやすいユーザインタフェースを実現することができる。また、表示画面に静止画として表示する際に用いる画像よりもサイズの小さいアニメーション用画像を用いてアニメーション表示を行なうから、静止画用の画像を用いてアニメーション表示を行なう場合と比較してアニメーション表示に掛かる負荷を低減することができる。ここで「表示機器」としては、テレビ受像機などを挙げることができる。
【００１９】
こうした本発明の画像表示出力装置の制御方法において、前記ステップ（ｃ）は、前記表示画面に表示されている画像の中から選択された画像を該表示画面の所定領域に配置する際に該選択された画像が該所定領域の方向へ移動するアニメーション表示がなされるように前記画面データ記憶手段の画面データを更新するステップであるものとすることもできる。こうすれば、選択された画像が所定領域の方向へ移動するようにアニメーション表示を行なうことができる。この結果、ユーザは、選択された画像を所定領域に配置する様子を視覚的に理解しやすくなる。
【発明を実施するための最良の形態】
【００２０】
次に、本発明を実施するための最良の形態を実施例を用いて説明する。
【実施例】
【００２１】
図１は、本発明の一実施例としての印刷装置２０を備える印刷システム１０の構成の概略を示す構成図であり、図２は実施例の印刷装置２０のメイン基板３０を中心として印刷システム１０の機能ブロックを示すブロック図である。実施例の印刷装置２０は、ケーブル１４を介して接続されたテレビ受像機１２と共に印刷システム１０を構成しており、印刷装置本体２２と、印刷装置本体２２を遠隔操作するための発光部９２を備えるリモートコントロールユニット（以下、リモコンと称す）９０とにより構成されている。印刷装置本体２２は、高さが５〜２０ｃｍで幅が２２〜６０ｃｍで奥行きが１０〜６０ｃｍ（実施例では高さ１５ｃｍ、幅５０ｃｍ、奥行き５０ｃｍ）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュ（サンディスク株式会社の登録商標）やＳＤ（Secure Digital）メモリカード，スマートメディアなどのＰＣカード１５を装着するカードスロット２７が設けられている。
【００２２】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８、ＶＲＡＭ４２を用いてテレビ受像機１２への表示出力を制御するビデオチップ４０、印刷ヘッド６３を動かすキャリッジモータ６０や紙送り用のＰＦモータ６１，ポンプモータ６２などを駆動するモータドライバ４４、印刷ヘッド６３の駆動用波形を生成するヘッド用ＤＡＣ４６、デジタルスチルカメラやＣＤ−Ｒドライブなどの周辺機器１７と接続するためのホスト用ＵＳＢコネクタ４８、コンピュータ（ＰＣ）１６などと接続するためのデバイス用ＵＳＢコネクタ５０、キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタなどが設けられている。これらの各ユニットやコネクタは、バスや信号ラインを介してメイン制御ユニット３２に接続されている。
【００２３】
メイン制御ユニット３２は、カード操作部制御ユニット３８を介してＰＣカード１５から入力した画像ファイルやホスト用ＵＳＢコネクタ４８を介して周辺機器１７から入力した画像ファイルなどをファイル形式に応じて展開すると共にレイアウト処理を行なって印刷イメージを作成しこの印刷イメージに対してＣＭＹＫへの色変換や２値化などの処理を行なって印刷ヘッド６３により印刷可能なデータに変換して印刷を実行したり、デバイス用ＵＳＢコネクタ５０を介してＰＣ１６から入力したプリンタ制御用コマンドと印刷データとに基づいて印刷を実行したりする。また、メイン制御ユニット３２は、こうした印刷の実行に関する処理だけでなく、印刷する画像の指定やレイアウトの設定，印刷条件の設定などの各種操作をテレビ受像機１２への画面表示と受光部２６や操作パネル２５からの操作信号の入力とにより行なう際の各種処理も実行する。
【００２４】
リモコン９０は、図２に示すように、ボタン操作に対応した光信号を調整して発光部９２から発光する発光制御部９１を備えている。リモコン９０は、図３の外観図に示すように、略長方形の形状をしており、その図中上部側面に発光部９２が取り付けられている。リモコン９０には、発光部９２近傍から、電源ボタン９３ａや画像の拡大や縮小を行なう拡大ボタン９３ｂおよび縮小ボタン９３ｃ，メニューを表示するメニューボタン９３ｄ，処理や画面を直前に戻す戻るボタン９３ｅ，処理を決定したり画像を選択するＯＫボタン９３ｆ，フォーカスフレームを左右や上下に移動させる左ボタン９３ｇ，右ボタン９３ｈ，上ボタン９３ｉ，下ボタン９３ｊ，処理を戻したり進めたりする処理戻しボタン９３ｋおよび処理進めボタン９３ｌ，印刷枚数を増減する枚数増加ボタン９３ｍおよび枚数減少ボタン９３ｎ，印刷を開始する印刷開始ボタン９３ｏ，印刷を中止する印刷中止ボタン９３ｐ，その他の処理に用いられるボタン９３ｑ〜９３ｔなどのボタン群が配置されている。こうして構成されたリモコン９０のボタンが操作者により操作されると、リモコン９０の発光制御部９１により、ボタンに応じた信号に装置を識別する信号を付した光信号に調整して発光部９２から発光する。この光信号を受光部２６で受光すると、カード操作部制御ユニット３８は、上述したように、光信号を解析してコード化してメイン制御ユニット３２に渡す。メイン制御ユニット３２は受け取ったコードに基づいて各処理を実行する。
【００２５】
次に、こうして構成された実施例の印刷装置２０の動作、特に印刷する画像を印刷イメージに配置する際の動作について説明する。実施例の印刷装置２０では、電源を投入すると、ＲＯＭ３４に予め記憶された図示しないメニュー画面がテレビ受像器１２に表示され、このメニュー画面から「応用プリントモード」を選択すると、ＲＯＭ３４に予め記憶された図４に例示する応用プリントモードのメニュー画面１００がテレビ受像器１２に表示される。このメニュー画面１００は、図示するように、処理段階を表示する処理表示領域１０２と、メニュー項目を表示するメニュー項目表示領域１０４と、ボタン操作のガイドを簡単に表示するガイド表示領域１０８とにより構成されている。メニュー項目表示領域１０４に表示されるメニュー項目としては、通常のテンプレートを用いて印刷を行なう「Ｌ判・アルバム・フレーム印刷」やＣＤ−ＲやＤＶＤ−Ｒに直接印刷を行なう「ＣＤ−Ｒ，ＤＶＤ−Ｒ印刷」，シール印刷や自由レイアウトによる印刷などを行なう「その他の印刷」などが用意されている。操作者は、リモコン９０の上ボタン９３ｉや下ボタン９３ｊを操作することによりフォーカスフレームを移動させ、ＯＫボタン９３ｆを操作することによりメニュー項目を選択することができる。
【００２６】
このように、メニュー画面１００で項目を選択すると、次の処理としての印刷設定処理に移行し、ＲＯＭ３４に予め記憶された図５に例示する印刷設定画面２００がテレビ受像器１２に表示される。この印刷設定画面２００もメニュー画面１００と同様に、処理表示領域２０２やメニュー項目表示領域２０４，ガイド表示領域２０８により構成されている。メニュー項目表示領域２０４を用いて設定する項目としては、用紙種類や用紙サイズ，レイアウトなどを挙げることができる。用紙種類や用紙サイズの変更は、上ボタン９３ｉや下ボタン９３ｊによりフォーカスフレームを用紙種類や用紙サイズに合わせた状態で左ボタン９３ｇや右ボタン９３ｈを操作することによりトグル状に変わる内容から所望の内容を表示させることにより行なう。レイアウトの選択は、フォーカスフレームをレイアウトに合わせた状態で左ボタン９３ｇや右ボタン９３ｈを操作してフォーカスフレームを所望のテンプレートに合わせてＯＫボタン９３ｆを操作することにより行なう。
【００２７】
こうして印刷設定を行なうと、次の処理としての画像選択処理に移行し、ＲＯＭ３４に予め記憶された図６に例示する画像選択画面３００がテレビ受像器１２に表示される。この画像選択画面３００は、メニュー画面１００や印刷設定画面２００の処理表示領域１０２，２０２と同様の処理表示領域３０２と、印刷イメージ３０５を表示する印刷イメージ表示領域３０４と、画像を一覧表示する画像表示領域３０６と、メニュー画面１００や印刷設定画面２００のガイド表示領域１０８，２０８と同様のガイド表示領域３０８とにより構成されている。ここで、画像表示領域３０６に画像を一覧表示する際には、ＰＣカード１５などから画像ファイルを読み込むと共にこの読み込んだ画像ファイルを表示用のサイズ（実施例では、６４０×４８０ピクセル）にリサイズして表示用画像としてＳＤＲＡＭ３６の所定領域に格納し、この格納した表示用画像をビデオチップ４０を介してＶＲＡＭ４２に書き込むことによりテレビ受像機１２に表示出力している。
【００２８】
このように画像選択画面３００がテレビ受像機１２に表示されている状態で、画像表示領域３０６に一覧表示されている画像の中から所望の画像にフォーカスフレームが合わせられＯＫボタン９３ｆが押されると、メイン制御ユニット３２により図７に例示する画像配置処理が実行され、フォーカスフレームが合わせられた画像をアニメーション表示を伴って印刷イメージ３０５に配置する（図８参照）。以下、この画像配置処理について説明する。
【００２９】
画像配置処理では、まず、図７に示すように、選択された画像（フォーカスフレームが合わせられた画像）のアニメーション用画像を生成する（ステップＳ１００）。アニメーション用画像は、ＳＤＲＡＭ４２の所定領域に格納されている表示用画像をこの表示用画像より小さい所定サイズにリサイズすることにより生成される。実施例では、アニメーション用画像は、表示用画像の縦サイズと横サイズとをそれぞれ１／２としたサイズ（即ち、実施例では、３２０×２４０ピクセル）にリサイズするものとした。
【００３０】
続いて、選択された画像が現在表示されている表示位置と選択された画像を配置する印刷イメージ３０５内の配置位置とを結ぶ直線上の中間点に、画像をアニメーション表示する際の中間表示領域を設定する（ステップＳ１１０）。中間表示領域は、図９に例示するように、選択された画像が印刷イメージ３０５内の配置位置まで移動する中間点における画像の大きさを定める領域であり、実施例では、中間表示領域において、画像の表示位置での大きさの縦サイズと横サイズとをそれぞれ１．３倍とした大きさで表示されるように設定した。
【００３１】
こうして中間表示領域を設定すると、選択された画像の表示位置から中間表示領域を経由して印刷イメージ３０５内の配置位置までアニメーション表示されるように、アニメーション表示の各コマにおける画像の表示位置と大きさとを設定する（ステップＳ１２０）。図１０は、各コマにおける画像の表示位置と大きさとを設定する様子を示す説明図である。図示するように、各コマにおける画像の表示位置は、１コマ毎に予め定められた移動量ｒずつ画像が移動するように設定するものとした。また、各コマにおける画像の大きさは、表示位置から中間表示領域までは、表示位置における大きさと中間表示領域における大きさとに基づいて定まる比率で大きくなるように、中間表示領域から印刷イメージ３０５内の配置位置までは、中間表示領域における大きさと配置位置における大きさとに基づいて定まる比率で小さくなるように、計算により定めて設定するものとした。なお、こうした画像の表示位置や大きさの設定は、表示位置における画像や中間表示領域，配置位置における画像の四隅の座標などに基づいて容易に計算することができる。
【００３２】
そして、設定した表示位置と大きさに従って各コマにおける画像が順次に表示されるように、ステップＳ１００で生成したアニメーション用画像を拡大したり縮小したりすることにより各コマの画像を生成すると共に生成した画像をビデオチップ４０を介してＶＲＡＭ４２に書き込む処理を所定の間隔（例えば、０．２秒毎）で繰り返し実行する（ステップＳ１３０〜Ｓ１７０）。図１１は、こうした処理により画像がアニメーション表示される様子を示す説明図である。図示するように、選択された画像は、中間表示領域までは徐々に拡大しながら移動し中間表示領域から印刷イメージ３０５内の配置位置までは徐々に縮小しながら移動するようにアニメーション表示される。したがって、ユーザは、選択された画像が印刷イメージ３０５に配置される様子を視覚的に理解することができるのである。
【００３３】
こうして、各コマの画像をＶＲＡＭ４２に書き込む処理を繰り返し、最終コマの画像がＶＲＡＭ４２に書き込まれると、選択された画像が印刷イメージ３０５内の配置位置に表示されるように前述した表示用画像をビデオチップ４０を介してＶＲＡＭ４２に書き込んで（ステップＳ１８０）、この画像配置処理を終了する。このように、アニメーション表示の際にはサイズの小さいアニメーション用画像を用いて比較的低解像度の画像を繰り返し表示し、アニメーション表示の終了後、印刷イメージ３０５内の配置位置に静止画として表示する際には表示用画像を用いて比較的高解像度の画像を表示するのである。こうして印刷イメージ３０５に画像が配置され、印刷開始ボタン９３ｏが押されると、印刷イメージ３０５の内容に従って印刷が実行される。
【００３４】
以上説明した実施例の印刷装置２０によれば、画像選択画面３００の画像表示領域３０６に一覧表示されている画像の中から選択された画像を印刷イメージ３０５に配置する際に、選択された画像の表示位置から中間表示領域を経由して印刷イメージ３０５内の配置位置まで移動するアニメーション表示を行なうことができる。したがって、ユーザは選択された画像が印刷イメージ３０５に配置される様子を視覚的に理解することができ、操作内容を理解しやすいユーザインタフェースを実現することができる。また、画像表示領域３０６に一覧表示する際に用いる表示用画像よりもサイズの小さいアニメーション用画像を用いてアニメーション表示の各コマの画像を生成する処理などを行なうから、表示用画像を用いてアニメーション表示を行なう場合と比較してアニメーション表示に掛かる負荷を低減することができる。
【００３５】
ここで、実施例の印刷装置２０では、ＶＲＡＭ４２が画面データ記憶手段に相当し、ビデオチップ４０が画面データ出力手段に相当し、ＳＤＲＡＭ３６が画像記憶手段に相当し、画像選択画面３００の画像表示領域３０６に画像を一覧表示するメイン制御ユニット３２やビデオチップ４０が画像表示手段に相当し、ステップＳ１００〜Ｓ１７０の処理を実行するメイン制御ユニット３２やビデオチップ４０がアニメーション表示手段に相当し、ステップＳ１８０の処理を実行するメイン制御ユニット３２やビデオチップ４０が画像配置手段に相当し、印刷イメージ３０５が印刷レイアウト領域に相当する。
【００３６】
実施例の印刷装置２０では、選択された画像が中間表示領域までは徐々に拡大しながら移動し中間表示領域から印刷イメージ３０５内の配置位置までは徐々に縮小しながら移動するようにアニメーション表示するものとしたが、これに限られず、例えば、中間表示領域までは徐々に縮小しながら移動し中間表示領域から印刷イメージ３０５内の配置位置までは徐々に拡大しながら移動するなど、各種のパターンでアニメーション表示するものとしてもよい。勿論、中間表示領域を設定しなくても構わない。また、拡大縮小以外のその他の画像処理効果を伴ってアニメーション表示するものとしてもよく、例えば、選択された画像が回転しながら移動するようにアニメーション表示するものとしてもよい。この場合、アニメーション表示の各コマにおける画像の表示位置と回転角度とを設定し、この設定した回転角度で回転した画像をアニメーション用画像を用いて生成してＶＲＡＭ４２に書き込むものとすればよい。勿論、拡大縮小しながら回転するなど、複数の画像処理効果を組み合わせても構わない。
【００３７】
実施例の印刷装置２０では、選択された画像の表示位置と印刷イメージ３０５内の配置位置とを結ぶ直線に沿って移動するようにアニメーション表示を行なうものとしたが、必ずしも直線に沿って移動しなくてもよく、例えば、表示位置と配置位置とを結ぶ適当な曲線などの所定の軌跡に沿って移動するようにアニメーション表示を行なうものとしてもよい。さらに、必ずしも表示位置から配置位置まで移動しなくても、選択された画像が印刷イメージ３０５の方向に移動するアニメーション表示を行なうものであればよい。
【００３８】
実施例の印刷装置２０では、画像選択画面３００の画像表示領域３０６に一覧表示されている画像の中から選択された画像を印刷イメージ３０５に配置する際にアニメーション表示を行なうものとしたが、選択された画像を所定領域に配置する際に所定領域へ移動するアニメーション表示を行なうものであればよい。さらに、このように画像を所定領域に配置するタイミングでアニメーション表示を行なうものでなくても、適当なタイミングで選択された画像が画像処理効果を伴ってアニメーション表示されればよい。
【００３９】
実施例の印刷装置２０では、アニメーション用画像は表示用画像の縦サイズと横サイズとをそれぞれ１／２としたサイズにリサイズするものとしたが、表示用画像の縦サイズと横サイズとをそれぞれ１／３としたサイズや１／４としたサイズなど、表示用画像より小さいサイズであればよい。
【００４０】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００４１】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００４２】
実施例の印刷装置２０では、ビデオチップ４０からの表示出力の出力先としてケーブル１４を介して接続されたテレビ受像機１２としたが、他の如何なる表示機器を表示出力の出力先としても構わない。
【００４３】
実施例では、選択された画像の画像処理効果を伴うアニメーション表示を行なう本発明を印刷装置２０の形態として説明したが、テレビ受像機１２などの表示画面上への画像表示を専用に行なう画像表示出力装置の形態としたり、こうした画像表示を行なうデジタルスチルカメラやＤＶＤビデオレコーダなどの各種装置の形態とすることもできる。また、画像表示出力装置の制御方法の形態としても構わない。
【００４４】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００４５】
【図１】印刷装置２０を備える印刷システム１０の構成の概略を示す構成図。
【図２】印刷システム１０の機能ブロックを示すブロック図。
【図３】リモコン９０の外観図。
【図４】メニュー画面１００の一例を示す説明図。
【図５】印刷設定画面２００の一例を示す説明図。
【図６】画像選択画面３００の一例を示す説明図。
【図７】画像配置処理の一例を示すフローチャート。
【図８】画像選択画面３００で画像を配置する際の様子を説明する説明図。
【図９】アニメーション表示の中間表示領域を説明する説明図。
【図１０】各コマの画像の位置と大きさとを設定する様子を示す説明図。
【図１１】画像がアニメーション表示される様子を示す説明図
【符号の説明】
【００４６】
１０  印刷システム、１２  テレビ受像器、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基板、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  キャリッジモータ、６１  ＰＦモータ、６２  ポンプモータ、６３  印刷ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９１  発光制御部、９２  発光部、９３ａ  電源ボタン、９３ｂ  拡大ボタン、９３ｃ  縮小ボタン、９３ｄ  メニューボタン、９３ｅ  戻るボタン、９３ｆ  ＯＫボタン、９３ｇ  左ボタン、９３ｈ  右ボタン、９３ｉ  上ボタン、９３ｊ  下ボタン、９３ｋ  処理戻しボタン、９３ｌ  処理進めボタン、９３ｍ  枚数増加ボタン、９３ｎ  枚数減少ボタン、９３ｏ  印刷開始ボタン、９３ｐ  印刷中止ボタン、９３ｑ〜９３ｔ  ボタン、１００  メニュー画面、１０２，２０２，３０２  処理表示領域、１０４，２０４  メニュー項目表示領域、１０８，２０８，３０８  ガイド表示領域、２００  印刷設定画面、３００  画像選択画面、３０４  印刷イメージ表示領域、３０５  印刷イメージ、３０６  画像表示領域。
【図１】
2005332340.tif 000003
【図２】
2005332340.tif 000004
【図３】
2005332340.tif 000005
【図４】
2005332340.tif 000006
【図５】
2005332340.tif 000007
【図６】
2005332340.tif 000008
【図７】
2005332340.tif 000009
【図８】
2005332340.tif 000010
【図９】
2005332340.tif 000011
【図１０】
2005332340.tif 000012
【図１１】
2005332340.tif 000013